Podtech/llm-jp-corpus-v4-ja_patent huggingface dataset:
【手続補正書】
【提出日】平成20年3月10日(2008.3.10)
【手続補正１】
【補正対象書類名】明細書
【補正対象項目名】０００７
【補正方法】変更
【補正の内容】
【０００７】
さて、誘導起電力は、導線に交流電流が流れると磁界が変化し、この磁界が変化することによって起電圧が生じ、その起電圧を埋めようという作用によって結果的に起電力が発生する現象である。
このことに対して、一対の導線を互いに捩った状態で保持すると、その捩ったペア・スパイラルで形成されるリングが小さいと導線に流れる交流電流は互いに打消し合って実質的に磁界の変化が生じないことになり、磁界が安定し、起電力が生じることはない。
つまり、前記電気・電子機器に対して、ノイズとなる誘導起電力の発生が抑えられることになる。
【手続補正２】
【補正対象書類名】明細書
【補正対象項目名】００１６
【補正方法】変更
【補正の内容】
【００１６】
又、導電パターンは幅が狭ければ狭いほど占める面積をより一層小さくすることができるので望ましい。しかし、導電パターンの幅が狭いと、スルーホールの径を小さく形成せざるを得ず、径が小さいスルーホールでは大電流をプリント基板の表面の導電パターンから裏面の導電パターンに流す場合に、抵抗値が大きくなって発熱するという問題が生じやすい。
【手続補正３】
【補正対象書類名】明細書
【補正対象項目名】００２４
【補正方法】変更
【補正の内容】
【００２４】
コネクタ８と、メインスイッチ９及びコネクタ１０の間は、プリント基板４に形成した導電部を介することによって導電性が得られる構成になっている。
前記導電部は、複数組の導電パターン１３と１４、１５と１６、１７と１８、１９と２０、２１と２２、２３と２４、２５と２６、２７と２８、２９と３０、３１と３２、３３と３４、３５と３６、３７と３８、３９と４０、４１と４２が備えられ、それぞれがペア（対）となって、互いにプリント基板４を介して、プリント基板４の表面と裏面でペアの捩れの状態となる位置に連続的に配設され、且つ、これら複数組の導電パターンが連続的な導電の経路を形成するようにプリント基板４を介するスルーホール４３によって導電状態、つまり、電気接続されて構成されている（図１及び図２を参照）。
【手続補正４】
【補正対象書類名】明細書
【補正対象項目名】００２５
【補正方法】変更
【補正の内容】
【００２５】
尚、プリント基板４の形成は具体的に、最初に、絶縁基板の表面及び裏面に厚さがほぼ７０μｍの銅箔が貼られた基材を用意し、その基材にスルーホールを形成すべき箇所に通孔を開設する。
次に、基材全体にメッキを施すことによって、前記の開設した通孔の内側壁をも含めてメッキ層で覆う。尚、このメッキ層の厚さは２０〜３０μｍ程度である。
ここで更に、エッチングによって前記基材の表面と裏面に所望のパターンを形成することにより、プリント基板４を得ている（図３を参照）。
【手続補正５】
【補正対象書類名】明細書
【補正対象項目名】００２７
【補正方法】変更
【補正の内容】
【００２７】
加えて、それら３つのスルーホール４３は、導電パターン１３、１４、１５、・・・、４２の伸長する方向に並んで配設されている。
この配列は、導電パターン１３、１４、１５、・・・、４２のうち隣接する導電パターン同士は安全上一定の間隔を有して配設される必要があるが、プリント基板４全体の大きさを抑えるためには、前記隣接する導電パターン同士の間隔を一定の距離以上にすると、導電パターンの伸長方向に対する幅を狭くする必要がある。
そこで、電力供給装置１では、導電パターンの伸長方向に対する幅を狭く確保するように、複数個のスルーホールは導電パターンの伸長方向に配設されている。
【手続補正書】
【提出日】平成20年3月10日(2008.3.10)
【手続補正１】
【補正対象書類名】特許請求の範囲
【補正対象項目名】全文
【補正方法】変更
【補正の内容】
【特許請求の範囲】
【請求項１】
霧化電極と、霧化電極に高電圧を印加する電圧印加部と、霧化電極に液体を供給する液体供給手段とを備えた静電霧化装置において、霧化電極の前記液体が供給される部分をＡｇ又はＡｇ合金で形成して、霧化電極に高電圧を印加して霧化電極に供給された液体を静電霧化すると共にＡｇイオンを放出して成ることを特徴とする静電霧化装置。
【請求項２】
霧化電極のＡｇ又はＡｇ合金で形成した部分を取り替え可能にして成ることを特徴とする請求項１記載の静電霧化装置。
【請求項３】
霧化電極と対向する対向電極を備えて成ることを特徴とする請求項１又は請求項２記載の静電霧化装置。
【手続補正２】
【補正対象書類名】明細書
【補正対象項目名】０００３
【補正方法】変更
【補正の内容】
【０００３】
この静電霧化装置によるナノメータサイズの帯電微粒子ミストの発生のメカニズムは、放電電極にかけられた電圧により放電電極の先端部に供給された水Ｗのような液体が帯電し、帯電した液体にクーロン力が働き、放電電極の先端に供給された液体の液面が局所的に先端が尖った錐状に盛り上がる（テイラーコーン）。このテイラーコーンの先端部に電荷が集中して高密度化され、高密度された電荷の反発力による液体の分裂・飛散（レイリー分裂）を繰り返して静電霧化を行い、ラジカルを有するナノメータサイズの帯電微粒子ミスト（マイナスイオンミスト）を生成させるようになっている。
【手続補正３】
【補正対象書類名】明細書
【補正対象項目名】０００７
【補正方法】変更
【補正の内容】
【０００７】
上記課題を解決するために本発明に係る静電霧化装置は、霧化電極４ａと、霧化電極４ａに高電圧を印加する電圧印加部５と、霧化電極４ａに液体Ｗを供給する液体供給手段とを備えた静電霧化装置Ａにおいて、霧化電極４ａの前記液体Ｗが供給される部分をＡｇ又はＡｇ合金で形成して、霧化電極４ａに高電圧を印加して霧化電極３に供給された液体Ｗを静電霧化すると共にＡｇイオンを放出して成ることを特徴とするものである。
【手続補正４】
【補正対象書類名】明細書
【補正対象項目名】０００９
【補正方法】変更
【補正の内容】
【０００９】
また、請求項２に係る静電霧化装置は、請求項１に係る静電霧化装置において、霧化電極４ａのＡｇ又はＡｇ合金で形成した部分を取り替え可能にして成ることを特徴とするものである。このような構成とすることで、霧化電極４ａのＡｇ又はＡｇ合金で形成した部分のみを取り替えるだけで永続的に使用することができる。
また、請求項３に係る静電霧化装置は、請求項１又は２に係る静電霧化装置において、霧化電極４ａと対向する対向電極１４を備えて成ることを特徴とするものである。
【手続補正書】
【提出日】平成20年11月6日(2008.11.6)
【手続補正１】
【補正対象書類名】特許請求の範囲
【補正対象項目名】全文
【補正方法】変更
【補正の内容】
【特許請求の範囲】
【請求項１】
ワーク材が配置される金型と、ワーク材を金型と挟んで密着させる蓋と、ワーク材を所定の温度で加圧して成形するための流体を蓋に設けられた開口から供給する流体供給器と、
を備える材料の成形装置であって、
金型は、成形されたワーク材へ流体を吹付けるための吹付け口を有し、
蓋に設けられた開口と金型の吹付け口とは、開閉により流体の搬送経路を制御する弁を介して流体搬送路で結ばれ、
弁の開閉により、ワーク材を加圧して成形させるために用いた流体を流体搬送路で搬送し、該流体を金型に設けられた吹き付け口から成形されたワーク材に吹付けて金型から離型させることを特徴とする材料の成形装置。
【請求項２】
請求項１に記載の材料の成形装置であって、
金型は、所定の間隔で、複数の吹付け口を有することを特徴とする材料の成形装置。
【請求項３】
請求項１または２に記載の材料の成形装置であって、
ワーク材は、超塑性アルミニウム合金または超塑性チタニウム合金であることを特徴とする材料の成形装置。
【請求項４】
金型にワーク材を配置し、蓋をしてワーク材を金型と蓋の間に挟んで密着させる準備工程と、
蓋に設けられた開口から供給される流体により、ワーク材を所定の温度で加圧して成形する成形工程と、
弁の開閉により、ワーク材を加圧して成形するために用いた流体を流体搬送路で搬送し、該流体を金型に設けられた吹き付け口から成形されたワーク材に吹付けて金型から離型させる離型工程と、
を備えることを特徴とする材料の成形方法。
【請求項５】
請求項４に記載の材料の成形方法であって、
金型は、所定の間隔で、複数の吹付け口を有することを特徴とする材料の成形方法。
【請求項６】
請求項４または５に記載の材料の成形方法であって、
ワーク材は、超塑性アルミニウム合金または超塑性チタニウム合金であることを特徴とする材料の成形方法。
【手続補正２】
【補正対象書類名】明細書
【補正対象項目名】０００９
【補正方法】変更
【補正の内容】
【０００９】
本発明に係る材料の成形装置は、ワーク材が配置される金型と、ワーク材を金型と挟んで密着させる蓋と、ワーク材を所定の温度で加圧して成形するための流体を蓋に設けられた開口から供給する流体供給器と、を備える材料の成形装置であって、金型は、成形されたワーク材へ流体を吹付けるための吹付け口を有し、蓋に設けられた開口と金型の吹付け口とは、開閉により流体の搬送経路を制御する弁を介して流体搬送路で結ばれ、弁の開閉により、ワーク材を加圧して成形させるために用いた流体を流体搬送路で搬送し、該流体を金型に設けられた吹き付け口から成形されたワーク材に吹付けて金型から離型させることを特徴とする。
【手続補正３】
【補正対象書類名】明細書
【補正対象項目名】００１２
【補正方法】変更
【補正の内容】
【００１２】
本発明に係る材料の成形方法は、金型にワーク材を配置し、蓋をしてワーク材を金型と蓋の間に挟んで密着させる準備工程と、蓋に設けられた開口から供給される流体により、ワーク材を所定の温度で加圧して成形する成形工程と、弁の開閉により、ワーク材を加圧して成形するために用いた流体を流体搬送路で搬送し、該流体を金型に設けられた吹き付け口から成形されたワーク材に吹付けて金型から離型させる離型工程と、を備えることを特徴とする。
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正書】
【提出日】平成20年7月22日(2008.7.22)
【手続補正１】
【補正対象書類名】特許請求の範囲
【補正対象項目名】全文
【補正方法】変更
【補正の内容】
【特許請求の範囲】
【請求項１】
患者を上方から覆う医療用テントであって、
処置者が患者に対して救命処置を行う開口部を側面の一部に設けるとともに底面を解放した形状を有するシートと、
前記シートを支持する支柱と、を有し、
前記シートは、内部で救命処置が行われていることを知らしめる表示を有し、且つ、収納時および使用時のいずれにおいても前記支柱に張り渡され、使用時に前記支柱を伸開することにより展開する、
ことを特徴とする医療用テント。
【請求項２】
前記シートは、前記表示を前記側面の外表面上に有する、
ことを特徴とする請求項１記載の医療用テント。
【手続補正２】
【補正対象書類名】明細書
【補正対象項目名】０００９
【補正方法】変更
【補正の内容】
【０００９】
本発明の医療用テントは、患者を上方から覆う医療用救命テントであって、処置者が患者に対して救命処置を行う開口部を側面の一部に設けるとともに底面を解放した形状を有するシートと、前記シートを支持する支柱と、を有し、前記シートは、内部で救命処置が行われていることを知らしめる表示を有し、且つ、収納時および使用時のいずれにおいても前記支柱に張り渡され、使用時に前記支柱を伸開することにより展開する構成を採る。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正書】
【提出日】平成20年10月23日(2008.10.23)
【手続補正１】
【補正対象書類名】特許請求の範囲
【補正対象項目名】請求項１
【補正方法】変更
【補正の内容】
【請求項１】
各々に複数種類の図柄を有し、当該複数種類の図柄を可変表示可能な複数の表示列と、前記複数の表示列の可変表示の開始の指示を受け付ける開始受付手段と、前記複数の表示列の各々に対応して設けられ、前記可変表示の各々の停止の指示を受け付ける複数の停止受付手段と、停止した状態の前記表示列の各々が有する図柄の当該複数の表示列に亘っての並びからなる入賞ラインが所定の表示位置に設定され、前記入賞ライン上の図柄の組合せが、所定の入賞態様となる役を示す場合に賞に入賞し、入賞した賞に応じて予め定められた遊技価値を付与し、通常ゲーム、第１確率変動ゲーム、第２確率変動ゲーム及び特別ゲームを含む複数の種類のゲームを管理するゲーム管理手段を備え、前記特別ゲーム終了後に前記第２確率変動ゲームを開始し、有体又は電気的若しくは磁気的に記憶した無体の遊技媒体の受け付けでゲームを開始する遊技機であって、
前記賞は、前記入賞態様が、第１役であった場合に付与する前記遊技価値が前記遊技媒体の受け付けなしにゲームを開始させる第１再遊技賞及び第２役であった場合に付与する前記遊技価値が前記遊技媒体の受け付けなしにゲームを開始させる第２再遊技賞を含む複数の再遊技賞と、前記入賞態様が特別役であった場合に付与する前記遊技価値が前記通常ゲームから前記特別ゲームへ移行させることである特別開始賞とを含み、
抽選を実行して抽選結果を示す抽選情報を生成し、前記通常ゲーム、前記第１確率変動ゲーム及び前記第２確率変動ゲームの抽選対象に前記第１再遊技賞、前記第２再遊技賞及び前記特別開始賞を含ませ、前記第１確率変動ゲームにおける前記第１再遊技賞を抽選で選択する当選確率を、通常ゲームにおける前記第１再遊技賞を抽選で選択する当選確率及び前記第２再遊技賞を抽選で選択する当選確率より高く設定し、前記第２確率変動ゲームにおける前記第２再遊技賞を抽選で選択する当選確率を、通常ゲームにおける前記第２再遊技賞を抽選で選択する当選確率より高く設定する抽選手段と、
前記表示列に対応する前記停止受付手段が停止の指示を受け付けたタイミングで、当該表示列上の図柄位置を示す図柄情報を取得する図柄情報取得手段と、
前記取得した図柄情報が示す図柄位置から所定範囲内で移動させて当該表示列を前記所定の表示位置に停止させる停止制御手段とを有し、
前記停止制御手段は、前記抽選情報が前記第２再遊技賞の当選結果を示す抽選情報が生成されたゲームで、前記取得した図柄情報が示す図柄位置から前記所定範囲内で移動させた場合に、当該表示列で前記第２役を構成する図柄を入賞ライン上に表示できるとき、当該図柄を当該入賞ライン上に表示するように当該表示列を移動させて停止させ、
前記ゲーム管理手段は、前記抽選情報が前記第２再遊技賞の当選結果を示す抽選情報が生成された前記第２確率変動ゲームで、入賞態様が前記第２役を示す場合、前記遊技媒体の受け付けなしに次のゲームを開始するとともに、前記ゲームの種類を前記第１確率変動ゲームとし、
前記賞は、特定役を入賞態様とする特定賞を含み、
前記特定役を構成する図柄は、前記複数の表示列のうち少なくとも一の表示列で当該図柄同士の間隔のうち少なくとも一つは前記所定範囲を超えて配置され、
前記抽選手段は、前記通常ゲーム及び前記第１確率変動ゲームの前記抽選対象に前記特定賞を含ませて抽選を実行し、
前記停止制御手段は、前記抽選情報が前記特定賞の当選結果を示す抽選情報が生成された第１確率変動ゲームで、前記取得した図柄情報が示す図柄位置から前記所定範囲内で移動させた場合に、当該表示列で前記特定役を構成する図柄を入賞ライン上に表示できるとき、当該図柄を当該入賞ライン上に表示するように当該表示列を移動させて停止させ、
前記ゲーム管理手段は、当該第１確率変動ゲームで入賞態様が前記特定役を示す場合、次に開始するゲームの種類を前記第２確率変動ゲームとする
ことを特徴とする遊技機。
【手続補正書】
【提出日】平成19年12月26日(2007.12.26)
【手続補正１】
【補正対象書類名】明細書
【補正対象項目名】００１５
【補正方法】変更
【補正の内容】
【００１５】
その上、前記伝達軸４の周囲にはこれを覆う筒状の起歪管５０が前記ハウジング３に固定配置してあり、この起歪管５０は、前記伝達軸４の先端に連結されたドライブ軸５に係合しているねじ部品が高トルクで締結されるときに発生する反力を受けるようになっており、この反力によって当該起歪管５０は捻れるように構成されている。また、この起歪管５０には捻れに応じた歪みを電気信号として検出する歪みゲージ５１が取付けられている。これら起歪管５０、歪みゲージ５１によりトルクセンサが構成され、歪ゲージ５１の信号から制御部６において締結トルクが判定され、所定締結トルクが得られるようになっている。
【手続補正書】
【提出日】平成20年2月7日(2008.2.7)
【手続補正１】
【補正対象書類名】特許請求の範囲
【補正対象項目名】全文
【補正方法】変更
【補正の内容】
【特許請求の範囲】
【請求項１】
ブックカバーの本挿入口を上下2列以上に作り付けることで、それぞれに、上部本と下部本を挿入することが可能な本挿入口をブックカバーの内側に設け、上部本部分とその他下部本部分を折り畳んだ場合には、簡単に衣服のポケット等にも収納が可能になるサイズにすることを特徴とする上下二段以上区分けブックカバー。

【手続補正２】
【補正対象書類名】明細書
【補正対象項目名】全文
【補正方法】変更
【補正の内容】
【発明の詳細な説明】
【発明の名称】上下二段以上区分けブックカバー
【技術分野】
【０００１】
本発明は、折りたたみが出来る上限二段に区分けしているブックカバーに関する。
【背景技術】
【０００２】
従来のブックカバーは、本の表紙を装着して傷みを防ぐために実用に供されているものであるが、ほとんどが特許文献１〜４に示されたブックカバーのように本１冊を単独でカバーするものであるため、例えば地図と目的地の産物などの案内、料理写真と調理法の解説文の利用に際し不便を感じる場合があった。
【特許文献１】特開２００３−３４１２５４号公報
【特許文献２】特開２００４−２９９３６４号公報
【特許文献３】特開２００５−２６２６９３号公報
【特許文献４】特開２００６−１５０７６１号公報
【発明の開示】
【発明が解決しようとする課題】
【０００３】
従来のブックカバーの装着では、地図と案内とか調理写真と調理の解説のようにそれぞれ関連した本であっても、それぞれの本を別々に広げて見比べるという作業が普通であり、本の数に応じては場所を取り、見辛いという難点が有った。
【０００４】
本発明は、これら従来のブックカバーでは解決できなかったそれらの問題点を解決しようというものであり、二つ以上の本を同時に見比べる必要がある場合に、見やすさと扱いやすさを兼ね備え、本自体の取り扱いをも、向上させることを目的とするものである。
【課題を解決するための手段】
【０００５】
上記の課題を解決するため、本発明は、ブックカバーの本挿入口を上下２列以上に作り付けることで、それぞれに、同じサイズの本を挿入することが可能であり、上部本部分とその他下部本部分を折り畳んだ場合には、図１のように、簡単に衣服のポケット等にも収納が可能になるサイズにすることが出来る。
【０００６】
図２に上下二段以上区分けブックカバー本体１に本を装着した状態を示す斜視図により説明すれば、上部本部分２に厚みの薄い地図等の情報本等を挿入し、下部本部分３にその他の関連情報本を挿入し、内容の相互の情報の比較が容易に行え、また下部本部分３の本挿入口４ｂに差し込まれた下部本６の目的のページの間に上部本部分２の本挿入口４ａに差し込まれた上部本５を折り目７で折り込んで前記下部本６に挟み込む「しおり」としても使用することが出来るので、持ち運びサイズとしての小ささを確保出来、片手で目的の情報ページを開いて見ることも容易であり、使い勝手がよくなるようにした。
【発明の効果】
【０００７】
以上に記載の課題の解決手段によって、本発明は特許請求の範囲に記載の通り、上下二段以上区分けブックカバーであるので、例えばブックカバー本体内に二段以上セット後、上部セット本の内容と下部本部分の挿入口に差し込まれた情報内容とを、それぞれ対比させて見ることが容易であると共に、持ち運び時には上部本部分の挿入口に差し込まれた上部本を二段目以下の本部分の挿入口に差し込まれた下部本の任意ページ内に、折りたたみ収納することにより、コンパクトなサイズとなる。
【図面の簡単な説明】
【０００８】
【図１】上下二段以上区分けブックカバーの実施方法を示す斜視図
【図２】上下二段以上区分けブックカバーに本を装着した状態を示す斜視図
【図３】本を装着した状態の上下二段以上区分けブックカバーの上部部分を折り返して下部部分の間に収納しようとする斜視図
【符号の説明】
【０００９】
１    ブックカバー本体
２    上部本部分
３    下部本部分
４      本挿入口
４ａ    上部本挿入口
４ｂ    下部本挿入口
５    本挿入口４ａに差し込まれた上部本
６    本挿入口４ｂに差し込まれた下部本
７    折り目
【手続補正３】
【補正対象書類名】図面
【補正対象項目名】全図
【補正方法】変更
【補正の内容】
【図１】
2008006796.tif 000001
【図２】
2008006796.tif 000002
【図３】
2008006796.tif 000003
【手続補正書】
【提出日】平成20年4月28日(2008.4.28)
【手続補正１】
【補正対象書類名】特許請求の範囲
【補正対象項目名】全文
【補正方法】変更
【補正の内容】
【特許請求の範囲】
【請求項１】
インパクトワイヤを駆動して印字を行い、駆動されるインパクトワイヤを保持する保持部材を有するインパクトヘッドにおいて、
前記保持部材は、前記インパクトワイヤが遊篏する遊篏孔を有し、前記インパクトワイヤは前記遊篏孔の内壁に圧接し、
前記遊篏孔は、前記インパクトワイヤが圧接する力の掛かる方向の垂直方向の面に対して前記インパクトワイヤが圧接する力の掛かる方向に傾斜した内壁面を有し、
前記インパクトワイヤは前記内壁面を摺動することを特徴とするインパクトヘッド。
【請求項２】
前記遊嵌孔は、複数のインパクトワイヤが遊嵌する馬蹄形状である請求項１記載のインパクトヘッド。
【請求項３】
前記遊嵌孔には単一のインパクトワイヤが遊嵌する請求項１記載のインパクトヘッド。
【請求項４】
インパクトワイヤを駆動して印字を行い、駆動されるインパクトワイヤを保持する保持部材を有するインパクトヘッドにおいて、
前記保持部材は、前記インパクトワイヤが遊嵌する遊嵌孔を有し、前記インパクトワイヤは前記遊嵌孔の内壁に圧接し、
前記遊嵌孔の前記内壁が前記インパクトワイヤの配設方向に延設される延設部を設けたことを特徴とするインパクトヘッド。
【請求項５】
前記延設部は、複数の前記遊嵌孔に対応して複数形成される請求項４記載のインパクトヘッド。
【請求項６】
前記複数の延設部は一体に形成される請求項５記載のインパクトヘッド。
【請求項７】
前記延設部は、前記インパクトワイヤの非駆動時の配設方向に沿って形成される請求項４
、５または６記載のインパクトヘッド。
【手続補正２】
【補正対象書類名】明細書
【補正対象項目名】００１３
【補正方法】変更
【補正の内容】
【００１３】
上記課題を解決するために、本発明は、インパクトワイヤを駆動して印字を行い、駆動されるインパクトワイヤを保持する保持部材を有するインパクトヘッドにおいて、前記保持部材は、前記インパクトワイヤが遊嵌する遊嵌孔を有し、前記インパクトワイヤは前記遊嵌孔の内壁に圧接し、前記遊嵌孔は前記インパクトワイヤが圧接する力の掛かる方向の垂直方向の面に対して前記インパクトワイヤが圧接する力の掛かる方向に傾斜した内壁面を有し、前記インパクトワイヤは前記内壁面を摺動することを特徴とするものである。
【手続補正３】
【補正対象書類名】明細書
【補正対象項目名】００１５
【補正方法】変更
【補正の内容】
【００１５】
上記構成の本発明によれば、保持部材の遊嵌孔が、インパクトワイヤが圧接する力の掛かる方向の垂直方向の面に対して前記インパクトワイヤが圧接する力の掛かる方向に傾斜した側壁面を有し、インパクトワイヤは側壁面を摺動するようにしたので、インパクトワイヤの遊嵌孔の壁面に対する接触圧力を低減することが可能となり、インパクトワイヤの高次振動を抑えるとともに、保持部材の磨耗を防止することができ、耐摩耗性の材料に変えることなく、インパクトヘッドの長寿命化を図ることができる。
【手続補正書】
【提出日】平成20年10月3日(2008.10.3)
【手続補正１】
【補正対象書類名】特許請求の範囲
【補正対象項目名】全文
【補正方法】変更
【補正の内容】
【特許請求の範囲】
【請求項１】
車両のドアの周縁部又はドア開口周縁に取付けられ、ドア閉時にドア開口周縁又はドアの周縁に圧接される中空状のシール部を有したウエザストリップにおいて、
少なくとも前記シール部の外表面に多数本のパイルよりなる植毛部を形成するとともに、前記多数本のパイルの植毛方向をランダムとし、
さらに、前記パイルを接着する接着剤を、硬化後の伸び性が１００％以上のものとしたことを特徴とするウエザストリップ。
【請求項２】
前記パイルは、湾曲したものであることを特徴とする請求項１に記載のウエザストリップ。
【請求項３】
前記パイルは、着色の施されたものであることを特徴とする請求項１又は２に記載のウエザストリップ。
【請求項４】
前記パイルを接着する接着剤は、水系のウレタン樹脂系接着剤であることを特徴とする請求項１乃至３のいずれかに記載のウエザストリップ。
【請求項５】
前記ウレタン樹脂系接着剤は、カルボジイミド硬化剤又はエポキシ硬化剤を含有したものであることを特徴とする請求項４に記載のウエザストリップ。
【請求項６】
前記シール部は、スポンジ弾性材料により形成されていることを特徴とする請求項１乃至５のいずれかに記載のウエザストリップ。
【手続補正２】
【補正対象書類名】明細書
【補正対象項目名】０００８
【補正方法】変更
【補正の内容】
【０００８】
手段１．車両のドアの周縁部又はドア開口周縁に取付けられ、ドア閉時にドア開口周縁又はドアの周縁に圧接される中空状のシール部を有したウエザストリップにおいて、
少なくとも前記シール部の外表面に多数本のパイルよりなる植毛部を形成するとともに、前記多数本のパイルの植毛方向をランダムとし、
さらに、前記パイルを接着する接着剤を、硬化後の伸び性が１００％以上のものとしたことを特徴とするウエザストリップ。
【手続補正３】
【補正対象書類名】明細書
【補正対象項目名】０００９
【補正方法】変更
【補正の内容】
【０００９】
上記手段１によれば、シール部の外表面に植毛部を形成することで、ファブリック調の外観を得ることができ、シール部に関し高い意匠性を獲得することができる。また、実際のファブリックを貼り付けた場合とは異なり、ウエザストリップ取付時にコーナー部等においてシワが発生することもないため、外観品質の低下が抑制される。さらには、ドア閉時等においてシール部が無理なく変形できるため、シール性の低下も抑制される。結果として、シール部のシール性能を維持しつつ、その外観品質の向上を図ることができる。なお、前記「シール部の外表面」とは、シール部表面のうち、ウエザストリップの取付状態において視認される部分を意味しており、取付基部となるトリム部等と相対向する部位や内装品等により覆われる部位など視認されない部分を含まない趣旨である。もちろん、当該視認されない部分に植毛部を形成しても何ら不具合を生じるものではなく、意匠性の向上を図る上で、少なくともシール部の視認される部分（外表面）に植毛部が形成されていればよい。
また、シール部表面に対する各パイルの植毛方向がランダムになるため、仮にパイルが直線状のものであっても、次に述べる手段２と同様の作用効果を得ることができる。又は、手段２との相乗効果により、その作用効果を高めることができる。なお、シール部の外表面に植毛部を形成する場合、シール部の外表面に接着剤層を形成した上で、当該接着剤層にパイルを植毛する（パイルの一端を固定する）のであるが、上記「植毛方向」とは、前記接着剤層にパイルの一端が突き刺さる方向、すなわちパイルの固定端が向く方向を意味している。このため、パイルが絡み合うことでファブリック調に見えるとともに、シール部が変形した時にでも、パイル間が伸ばされて疎となり、素地（下地）の黒色が見えることもない。なお、パイルが直線状であり、かつ、静電植毛の場合、各パイルが直立状に植毛され、ファブリック調に見えないとともに、シール部が変形した場合には、パイル間が伸ばされて疎となる部分があり、素地の黒色が見えるおそれがある。また、多数本のパイルの植毛方向をランダムにする植毛方法としては、例えば加圧スプレーガンや静電散布ガンを用いてパイルを植毛する方法などが挙げられる。
さらに、接着剤に柔軟性があるため、シール部の変形に追従することができ、シール性の低下を抑制することができる。なお、「硬化後の伸び性」とは、後で詳述するが、接着剤をフィルム化したときの常温での伸び性をいう。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】変更
【補正の内容】
【００１５】
手段３．前記パイルは、着色の施されたものであることを特徴とする手段１又は２に記載のウエザストリップ。
【手続補正７】
【補正対象書類名】明細書
【補正対象項目名】００１６
【補正方法】変更
【補正の内容】
【００１６】
上記手段３によれば、着色の施されたパイルを用いることにより、例えば室内の内装品等に合わせたファブリックに近い色合いを出すことができ、外観品質の向上を図ることができる。さらに、例えばカーボンブラックによってシール部が黒色を呈している場合であっても、その黒色を隠すことができる。なお、上記手段１又は２と組み合わせた場合や、パイルを接着する接着剤層に着色を施した場合には、相乗効果により、その効果はさらに高められる。
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】変更
【補正の内容】
【００１９】
手段４．前記パイルを接着する接着剤は、水系のウレタン樹脂系接着剤であることを特徴とする手段１乃至３のいずれかに記載のウエザストリップ。
【手続補正１１】
【補正対象書類名】明細書
【補正対象項目名】００２０
【補正方法】変更
【補正の内容】
【００２０】
上記手段４によれば、ゴム材料よりなるウエザストリップに対し、より強固にパイルを固着することができる。さらには、ホルムアルデヒド等の揮発性有機化合物（ＶＯＣ）が放出されないため、環境に優しい。
【手続補正１２】
【補正対象書類名】明細書
【補正対象項目名】００２１
【補正方法】変更
【補正の内容】
【００２１】
手段５．前記ウレタン樹脂系接着剤は、カルボジイミド硬化剤又はエポキシ硬化剤を含有したものであることを特徴とする手段４に記載のウエザストリップ。
【手続補正１３】
【補正対象書類名】明細書
【補正対象項目名】００２２
【補正方法】変更
【補正の内容】
【００２２】
上記手段５によれば、耐摩耗性の向上を図ることができる。
【手続補正１４】
【補正対象書類名】明細書
【補正対象項目名】００２３
【補正方法】変更
【補正の内容】
【００２３】
手段６．前記シール部は、スポンジ弾性材料により形成されていることを特徴とする手段１乃至５のいずれかに記載のウエザストリップ。
【手続補正書】
【提出日】平成20年10月3日(2008.10.3)
【手続補正１】
【補正対象書類名】特許請求の範囲
【補正対象項目名】全文
【補正方法】変更
【補正の内容】
【特許請求の範囲】
【請求項１】
車両のドアの周縁部又はドア開口周縁に取付けられ、ドア閉時にドア開口周縁又はドアの周縁に圧接される中空状のシール部を有したウエザストリップにおいて、
少なくとも前記シール部の外表面に、長さが０．６ｍｍ以上１．０ｍｍ以下でかつ太さが２．２Ｔ（デシテックス）以上６．７Ｔ以下の多数本のパイルよりなる植毛部を形成するとともに、前記多数本のパイルを、少なくとも白色を含む２種類以上の異なった色のパイルから構成し、さらに、その植毛方向をランダムとしたことを特徴とするウエザストリップ。
【請求項２】
前記パイルは、湾曲したものであることを特徴とする請求項１に記載のウエザストリップ。
【手続補正２】
【補正対象書類名】明細書
【補正対象項目名】０００８
【補正方法】変更
【補正の内容】
【０００８】
手段１．車両のドアの周縁部又はドア開口周縁に取付けられ、ドア閉時にドア開口周縁又はドアの周縁に圧接される中空状のシール部を有したウエザストリップにおいて、
少なくとも前記シール部の外表面に、長さが０．６ｍｍ以上１．０ｍｍ以下でかつ太さが２．２Ｔ（デシテックス）以上６．７Ｔ以下の多数本のパイルよりなる植毛部を形成するとともに、前記多数本のパイルを、少なくとも白色を含む２種類以上の異なった色のパイルから構成し、さらに、その植毛方向をランダムとしたことを特徴とするウエザストリップ。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
また、植毛部全体が白色の混ざった混合色となるため、仮にシール部に接触跡ができ、倒れたパイルが光を反射する等した場合でも、当該接触跡と他の部位との差が現われにくく、接触跡が目立ちにくくなる。結果として、外観品質の低下を抑制できる。
さらに、シール部表面に対する各パイルの植毛方向がランダムになるため、仮にパイルが直線状のものであっても、次に述べる手段２と同様の作用効果を得ることができる。又は、手段２との相乗効果により、その作用効果を高めることができる。なお、シール部の外表面に植毛部を形成する場合、シール部の外表面に接着剤層を形成した上で、当該接着剤層にパイルを植毛する（パイルの一端を固定する）のであるが、上記「植毛方向」とは、前記接着剤層にパイルの一端が突き刺さる方向、すなわちパイルの固定端が向く方向を意味している。このため、パイルが絡み合うことでファブリック調に見えるとともに、シール部が変形した時にでも、パイル間が伸ばされて疎となり、素地（下地）の黒色が見えることもない。なお、パイルが直線状であり、かつ、静電植毛の場合、各パイルが直立状に植毛され、ファブリック調に見えないとともに、シール部が変形した場合には、パイル間が伸ばされて疎となる部分があり、素地の黒色が見えるおそれがある。また、多数本のパイルの植毛方向をランダムにする植毛方法としては、例えば加圧スプレーガンや静電散布ガンを用いてパイルを植毛する方法などが挙げられる。
【手続補正５】
【補正対象書類名】明細書
【補正対象項目名】００１４
【補正方法】変更
【補正の内容】
【００１４】
手段２．前記パイルは、湾曲したものであることを特徴とする手段１に記載のウエザストリップ。
【手続補正６】
【補正対象書類名】明細書
【補正対象項目名】００１５
【補正方法】変更
【補正の内容】
【００１５】
仮に直線状（直毛）のパイルをシール部表面に対し垂直に植毛した場合には、上記課題で述べた不具合がより顕著に現われるおそれがある。これに対し、湾曲した（曲毛）パイルを植毛した場合には、パイル同士が絡み合ったり、シール部表面に対しパイルが斜めに植毛されているため、上記手段１と同様の作用効果が奏される。なお、長さが０．６ｍｍよりも短いパイルでは、湾曲が現われにくく略直線になってしまうため、パイルの長さは０．６ｍｍ以上であることが好ましい。また、１．０ｍｍよりも長い場合は、スプレーのノズル内でパイルが絡み合って、ノズルがつまり易くなり、均一散布が難しくなり、好ましくない。
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正書】
【提出日】平成20年1月30日(2008.1.30)
【手続補正１】
【補正対象書類名】特許請求の範囲
【補正対象項目名】請求項１
【補正方法】変更
【補正の内容】
【請求項１】
オレフィンまたはα，β−不飽和アルデヒドから、反応液と触媒を懸濁させながら行う液相酸化によりα，β−不飽和カルボン酸を製造するための触媒であって、窒素ガス吸着法により測定した全細孔容積が０．４０〜１．５０ｃｃ／ｇである担体に、金属が担持されていることを特徴とするα，β−不飽和カルボン酸製造用触媒。
【手続補正２】
【補正対象書類名】特許請求の範囲
【補正対象項目名】請求項７
【補正方法】変更
【補正の内容】
【請求項７】
請求項１〜５いずれか記載のα，β−不飽和カルボン酸製造用触媒を反応液に懸濁させた状態で、オレフィンまたはα，β−不飽和アルデヒドを分子状酸素によって液相中で酸化するα，β−不飽和カルボン酸の製造方法。
【手続補正３】
【補正対象書類名】明細書
【補正対象項目名】０００８
【補正方法】変更
【補正の内容】
【０００８】
本発明のα，β−不飽和カルボン酸製造用触媒は、オレフィンまたはα，β−不飽和アルデヒドから、反応液と触媒を懸濁させながら行う液相酸化によりα，β−不飽和カルボン酸を製造するための触媒であって、窒素ガス吸着法により測定した全細孔容積が０．４０〜１．５０ｃｃ／ｇである担体に、金属が担持されていることを特徴とするα，β−不飽和カルボン酸製造用触媒である。
【手続補正４】
【補正対象書類名】明細書
【補正対象項目名】００１０
【補正方法】変更
【補正の内容】
【００１０】
本発明のα，β−不飽和カルボン酸の製造方法は、上記のα，β−不飽和カルボン酸製造用触媒を反応液に懸濁させた状態で、オレフィンまたはα，β−不飽和アルデヒドを分子状酸素によって液相中で酸化するα，β−不飽和カルボン酸の製造方法である。
【手続補正５】
【補正対象書類名】明細書
【補正対象項目名】００５１
【補正方法】変更
【補正の内容】
【００５１】
触媒は液相酸化を行なう反応液に懸濁させた状態で使用する。触媒の使用量は、反応器内に存在する溶液１００質量部に対して、反応器内に存在する触媒として０．１質量部以上が好ましく、より好ましくは０．５質量部以上であり、特に好ましくは１質量部以上である。また、上記触媒の使用量は、３０質量部以下が好ましく、より好ましくは２０質量部以下であり、特に好ましくは１５質量部以下である。
【手続補正書】
【提出日】平成19年11月26日(2007.11.26)
【手続補正１】
【補正対象書類名】特許請求の範囲
【補正対象項目名】全文
【補正方法】変更
【補正の内容】
【特許請求の範囲】
【請求項１】
複数種類の図柄を巡回的に可変表示する複数の表示列と、
前記複数の表示列の可変表示が停止した状態において、前記複数の表示列を横切る複数の入賞ラインのうち、有効化された入賞ライン上に停止した図柄の並びが所定の停止態様である場合にいずれかの賞に入賞し、入賞した賞に応じた遊技価値を付与する遊技価値付与手段と、
前記複数の表示列に対応して各々設けられ、プレイヤーの停止操作に応じた停止操作信号を各々出力する複数の停止操作手段と、
前記停止操作を受け付けるように前記複数の停止操作手段を１ゲーム毎に有効化する有効化手段と、
複数の賞及びハズレの中から一つを１ゲーム毎に抽選により決定し、当選した賞又はハズレを示す抽選情報を生成する抽選手段と、
可変表示を停止する過程で用いられ、ハズレに対応する停止態様のうち特定停止態様となるように前記各表示列を制御可能な第１停止データと、ハズレに対応する停止態様のうち前記特定停止態様以外の停止態様となるように前記各表示列を制御可能な第２停止データとを記憶した停止データ記憶手段と、
前記有効化手段が前記複数の停止操作手段を有効化する前に前記抽選情報がハズレを示す場合に、前記第１停止データを選択するか、前記第２停止データを選択するかを抽選によって決定する決定手段と、
前記抽選情報がハズレを示す場合に前記決定手段によって決定された停止データに従って前記各表示列の可変表示を停止させる停止制御手段と、
を備えたことを特徴とするスロットマシン。
【手続補正書】
【提出日】平成19年12月13日(2007.12.13)
【手続補正１】
【補正対象書類名】特許請求の範囲
【補正対象項目名】全文
【補正方法】変更
【補正の内容】
【特許請求の範囲】
【請求項１】
対象者又は患者の状態又は状況をモニタリングするワイヤレス健康状態モニタリングシステムであって：
健康状態パラメータ決定手段、及び該決定手段で測定された該健康状態パラメータに対応するデータを伝える出力ポートを含む健康状態モニタリングデバイス(HMD)；
包括入力／出力ポートを有する第一の通信ポートと、ネットワークとのワイヤレス通信のための回路を有する第二の通信ポートとを含むインターネット対応ワイヤレスウェブデバイス(WWD)；及び
サーバアプリケーションを実行するサーバを含み；
該インターネット対応ワイヤレスウェブデバイスは、該健康状態モニタリングデバイスによって測定され、かつ転送された対象者又は患者の状態又は状況に対応する該健康状態パラメータと、デバイスアプリケーションと、ユーザインタフェースとを格納するように構成される、かつ該インターネット対応ワイヤレスウェブデバイスは、該健康状態パラメータを、該ネットワークを介して該サーバに転送するものであり；かつ
該サーバアプリケーションは、コンピュータ可読媒体上に常駐し、ワイヤレスネットワークと通信するサーバ上に配置され、かつ該サーバに、該インターネット対応ワイヤレスウェブデバイスから、該決定された健康状態パラメータを受領させ、該決定された健康状態パラメータを処理し、該決定された健康状態パラメータに対する応答を計算し、かつ該応答を該インターネット対応ワイヤレスウェブデバイスに提供する、ワイヤレス健康状態モニタリングシステム。
【請求項２】
対象者又は患者の状態又は状況をワイヤレスでモニタリングする方法であって：
健康状態パラメータ決定手段、及び該決定手段で測定された該健康状態パラメータに対応するデータを伝える出力ポートを含む健康状態モニタリングデバイス(HMD)を用いて、健康状態パラメータを得ること；
該健康状態パラメータに対応するデータを、包括入力／出力ポートを介して、インターネット対応ワイヤレスウェブデバイス(WWD)に配信すること、ここで該インターネット対応ワイヤレスウェブデバイスは、包括入力／出力ポートを有する第一の通信ポートと、ネットワークとのワイヤレス通信のための回路を有する第二の通信ポートとを含む；
コンピュータ可読媒体上に常駐し、ワイヤレスネットワークと通信するサーバ上に配置されているサーバアプリケーションを実行するサーバに、該健康状態パラメータを、ワイヤレスで転送すること；
該決定された健康状態パラメータをサーバで受領すること；
該決定された健康状態パラメータを、該サーバアプリケーション内のソフトウェアを用いて処理し、該サーバアプリケーションを用いて、該決定された健康状態パラメータに対する応答を計算すること；及び
該応答をインターネット対応ワイヤレスウェブデバイスに配信することを含む、前記方法。
【請求項３】
インターネットと信号通信するサーバに下記を実行させる命令を含む、コンピュータ可読媒体に常駐するコンピュータプログラム：
インターネット対応ワイヤレスウェブデバイスに、デバイスアプリケーション及びユーザインタフェースを提供すること、ここで該ユーザインタフェース又はデバイスアプリケーションは、該インターネット対応ワイヤレスウェブデバイスに、包括入力／出力ポートから、対象者又は患者の状態又は状況の健康状態パラメータに対応するデータを受領させ、かつ該データをサーバにワイヤレスで配信する命令を含み；
該インターネット対応ワイヤレスウェブデバイスからの該健康状態パラメータに対応するデータを該サーバで受領させ；
該受領したデータを処理し、かつ該決定された健康状態パラメータの一部に基づいて、該決定された健康状態パラメータに対する応答を計算させ；
該応答を、該インターネット対応ワイヤレスウェブデバイスに提供させ；かつ
該インターネット対応ワイヤレスウェブデバイスで該応答に応じた特徴を表示させること。
【請求項４】
アプリケーションを実行するサーバにワイヤレス通信により接続される、健康状態をモニタリングするインターネット対応ワイヤレスウェブデバイスであって：
患者の疾病の状態又は状況、或いは患者の健康状態、栄養、フィットネス又は運動の状態又は状況に対応する健康状態パラメータの受領のための包括入力／出力ポートを含む第一の通信ポートと、ネットワークへのワイヤレスリンクを含む第二の通信ポートとから入力を受け入れるべく機能するアプリケーションを実行するウェブ対応携帯電話を備える、インターネット対応ワイヤレスウェブデバイス。
【請求項５】
アプリケーションを実行するサーバにワイヤレス通信により接続される、健康状態をモニタリングするインターネット対応ワイヤレスウェブデバイスであって：
患者の疾病の状態又は状況、或いは患者の健康状態、栄養、フィットネス又は運動の状態又は状況に対応する健康状態パラメータの受領のための包括入力／出力ポートを含む第一の通信ポートと、ネットワークへのワイヤレスリンクを含む第二の通信ポートとから入力を受け入れるべく機能するアプリケーションを実行する、ワイヤレス接続性を有する携帯デジタル補助機器を備える、インターネット対応ワイヤレスウェブデバイス。
【請求項６】
アプリケーションを実行するサーバにワイヤレス通信により接続される、健康状態をモニタリングするインターネット対応ワイヤレスウェブデバイスであって：
患者の疾病の状態又は状況、或いは患者の健康状態、栄養、フィットネス又は運動の状態又は状況に対応する健康状態パラメータの受領のための包括入力／出力ポートを含む第一の通信ポートと、ネットワークへのワイヤレスリンクを含む第二の通信ポートとから入力を受け入れるべく機能するアプリケーションを実行するハイブリッドのハンドヘルドコンピュータ及び電話の組み合わせを備える、インターネット対応ワイヤレスウェブデバイス。
【手続補正書】
【提出日】平成20年7月16日(2008.7.16)
【手続補正１】
【補正対象書類名】特許請求の範囲
【補正対象項目名】全文
【補正方法】変更
【補正の内容】
【特許請求の範囲】
【請求項１】
Ｌｉｂ遺伝子の発現を阻害することおよび／または該遺伝子によりコードされる蛋白質の機能を阻害することを特徴とする、ヒト生体内を除くアストログリア細胞の移動阻害方法。
【請求項２】
Ｌｉｂ遺伝子の発現阻害剤および／または該遺伝子によりコードされる蛋白質の機能阻害剤を用いることを特徴とする、ヒト生体内を除くアストログリア細胞の移動阻害方法。
【請求項３】
Ｌｉｂ遺伝子のアンチセンスポリヌクレオチドを用いることを特徴とする、ヒト生体内を除くアストログリア細胞の移動阻害方法。
【請求項４】
Ｌｉｂ遺伝子の発現を阻害するｓｉＲＮＡまたはｓｈＲＮＡを用いることを特徴とする、ヒト生体内を除くアストログリア細胞の移動阻害方法。
【請求項５】
Ｌｉｂ遺伝子によりコードされる蛋白質のアストログリア細胞の細胞移動能を阻害する化合物の同定方法であって、Ｌｉｂ遺伝子を発現している細胞とある化合物（被検化合物）との相互作用を可能にする条件下で該細胞と被検化合物とを接触させ、次いで、該細胞の移動を測定することのできる条件下で細胞の移動を測定し、被検化合物の存在下における該細胞の移動と被検化合物の非存在下における該細胞の移動とを比較し、該細胞の移動の変化を検出することにより、被検化合物がＬｉｂ遺伝子によりコードされる蛋白質の細胞移動能を阻害するか否かを判定することを特徴とする同定方法。
【請求項６】
Ｌｉｂ遺伝子のアンチセンスポリヌクレオチドを有効量含んでなるアストログリア細胞の移動阻害剤。
【請求項７】
Ｌｉｂ遺伝子の発現を阻害するｓｉＲＮＡまたはｓｈＲＮＡを有効量含んでなるアストログリア細胞の移動阻害剤。
【請求項８】
配列表の配列番号１に記載の塩基配列に相補的な塩基配列または該相補的な塩基配列の一部を含有するアンチセンスポリヌクレオチドを有効量含んでなるアストログリア細胞の移動阻害剤。
【請求項９】
配列表の配列番号１に記載の塩基配列からなるＬｉｂ遺伝子の発現を阻害するｓｉＲＮＡまたはｓｈＲＮＡを有効量含んでなるアストログリア細胞の移動阻害剤。
【手続補正書】
【提出日】平成20年7月4日(2008.7.4)
【手続補正１】
【補正対象書類名】特許請求の範囲
【補正対象項目名】全文
【補正方法】変更
【補正の内容】
【特許請求の範囲】
【請求項１】
全てのアセトヒドロキシ酸合成酵素（ＡＨＡＳ）が不活化されている、腸内細菌科の異常アミノ酸生産細菌。
【請求項２】
前記異常アミノ酸は、ノルロイシン及び／又はノルバリンである、請求項１に記載の細菌。
【請求項３】
前記細菌は、エシェリヒア属に属する、請求項１に記載の細菌。
【請求項４】
前記アセトヒドロキシ酸合成酵素は、ｉｌｖＢＮ遺伝子によりコードされるＡＨＡＳ Ｉ、ｉｌｖＧＭ遺伝子によりコードされるＡＨＡＳ ＩＩ及びｉｌｖＩＨ遺伝子によりコードされるＡＨＡＳ ＩＩＩを含む、請求項３に記載の細菌。
【請求項５】
前記細菌は、ｌｅｕＡＢＣＤオペロンの発現が増強するように改変されている、請求項４に記載の細菌。
【請求項６】
異常アミノ酸を生産する方法であって、
請求項１〜５のいずれかに記載の細菌を、Ｌ−ロイシンは含有しないが、細菌増殖を制限する濃度のＬ−バリンを含有する培地で培養して、前記異常アミノ酸を生産させ、該培地中に分泌させ、かつ
前記異常アミノ酸を、該培地から回収すること、
を含む、異常アミノ酸を生産する方法。
【請求項７】
前記異常アミノ酸は、ノルロイシン及び／又はノルバリンである、請求項６に記載の方法。
【手続補正書】
【提出日】平成20年10月10日(2008.10.10)
【手続補正１】
【補正対象書類名】明細書
【補正対象項目名】０００６
【補正方法】変更
【補正の内容】
【０００６】
なお、特許文献３には、「端末（例えばＰＯＳ）からスキャナへの命令コードの通報線を設けるとともに、該命令コードにより少なくとも鳴音部の音量、音色を制御する回路を備え、端末からの命令コードにより一挙に切り替えることができるものである。」ことが記載されている（段落０００６参照）。
【特許文献１】特開平０７−０２１４６３号公報
【特許文献２】特開平０７−２１０７５５号公報
【特許文献３】特開平０８−０５５２８０号公報
【手続補正書】
【提出日】平成20年7月8日(2008.7.8)
【手続補正１】
【補正対象書類名】特許請求の範囲
【補正対象項目名】全文
【補正方法】変更
【補正の内容】
【特許請求の範囲】
【請求項１】
導体とその外周を被覆する被覆材を有し、この被覆材の最外層がポリ塩化ビニル樹脂を含有する電線と、
導体とその外周を被覆する被覆材を有し、前記被覆材が、ポリオレフィン系樹脂及び難燃剤を含有するノンハロゲン電線とを、混在させてなる電線束であって、
前記難燃剤の量が、前記ポリオレフィン系樹脂１００重量部に対し３０〜１５０重量部であり、
前記難燃剤が、水酸化アルミニウムを８０重量％以上含有し、かつ、
前記ポリオレフィン系樹脂が、架橋されていることを特徴とする電線束。
【請求項２】
ポリ塩化ビニル樹脂を含有する結束材により結束又はその外周が保護されていることを特徴とする請求項１に記載の電線束。
【請求項３】
請求項１又は請求項２に記載の電線束からなることを特徴とする自動車用ワイヤーハーネス。
【手続補正書】
【提出日】平成20年8月28日(2008.8.28)
【手続補正１】
【補正対象書類名】特許請求の範囲
【補正対象項目名】全文
【補正方法】変更
【補正の内容】
【特許請求の範囲】
【請求項１】
一方の面上に第１の発光素子が設けられた第１の基板と、
一方の面上に第２の発光素子が設けられた第２の基板と、
第３の基板と、を有し、
前記第１の基板の一方の面と前記第２の基板の他方の面は、対向するように設けられ、
前記第２の基板の一方の面と前記第３の基板の一方の面は、対向するように設けられ、
前記第１の発光素子は、前記第１の基板の他方の面側の第１の表示面の方向に発光し、
前記第２の発光素子は、前記第３の基板の他方の面側の第２の表示面の方向に発光することを特徴とする表示装置。
【請求項２】
一方の面上に第１の発光素子が設けられた第１の基板と、
一方の面上に第２の発光素子が設けられた第２の基板と、を有し、
前記第１の基板の一方の面と前記第２の基板の一方の面は、対向するように設けられ、
前記第１の発光素子は、前記第１の基板の他方の面側の第１の表示面の方向に発光し、
前記第２の発光素子は、前記第２の基板の他方の面側の第２の表示面の方向に発光することを特徴とする表示装置。
【請求項３】
請求項２において、
前記第１の基板の一方の面上に第１の接続用導電層が設けられ、
前記第２の基板の一方の面上に第２の接続用導電層が設けられ、
前記第１の基板と前記第２の基板の間に、前記第１の接続用導電層と前記第２の接続用導電層とを電気的に接続する導電性スペーサが設けられていることを特徴とする表示装置。
【請求項４】
請求項１または請求項２において、
前記第１の基板の一方の面上に設けられ、前記第１の発光素子に電気的に接続された第１の接続フィルムと、
前記第２の基板の一方の面上に設けられ、前記第２の発光素子に電気的に接続された第２の接続フィルムを有することを特徴とする表示装置。
【請求項５】
請求項２において、
前記第１の発光素子が含む前記一対の導電層の一方は、前記第２の発光素子が含む前記一対の導電層の一方と共有されていることを特徴とする表示装置。
【請求項６】
請求項３において、
前記第１の基板の一方の面上に設けられ、前記第１の発光素子と前記第２の発光素子に電気的に接続された接続フィルムを有することを特徴とする表示装置。
【請求項７】
請求項１乃至請求項３のいずれか一項において、
前記第１の基板の一方の面上に、前記第１の発光素子の発光を制御するトランジスタが設けられ、
前記第２の基板の一方の面上に、前記第２の発光素子の発光を制御するトランジスタが設けられていることを特徴とする表示装置。
【請求項８】
請求項１乃至請求項３のいずれか一項において、
切り換え回路と、
前記切り換え回路から出力される信号に基づき、前記第１の発光素子又は前記第２の発光素子に制御信号を供給するコントローラ回路と、を有し、
前記切り換え回路と前記コントローラ回路は、前記第１の基板の一方の面上又は前記第２の基板の一方の面上に設けられていることを特徴とする表示装置。
【請求項９】
請求項１乃至請求項３のいずれか一項において、
切り換え回路と、
前記切り換え回路から出力される信号に基づき、前記第１の発光素子又は前記第２の発光素子に電源電位を供給する電源回路と、を有し、
前記切り換え回路と前記電源回路は、前記第１の基板の一方の面上又は前記第２の基板の一方の面上に設けられていることを特徴とする表示装置。
【請求項１０】
請求項１において、
前記第１の基板、前記第２の基板及び前記第３の基板はそれぞれ、透光性を有することを特徴とする表示装置。
【請求項１１】
請求項２または請求項３において、
前記第１の基板と前記第２の基板はそれぞれ、透光性を有することを特徴とする表示装置。
【請求項１２】
請求項１乃至請求項１１のいずれか一項に記載の前記表示装置を用いた電子機器。